(57)【特許請求の範囲】
【請求項１】
拳銃を収納するケース本体２０３と該ケース本体２０３をイクイプメントベルトに装着するための装着具２０２とからなり、ケース本体２０３に収められる拳銃のバレル軸線に対応する位置上に設けられた接続具２０４を介し前記装着具２０２とケース本体２０３を回転可能に取り付けた拳銃ホルスター２０１において、
前記装着具２０２とケース本体２０３との間に、上着ポケットの雨蓋２１７を挟圧せずにたくしこみ可能な間隙を空け、該装着具２０２の一側における接続具２０４の近傍位置に膨出部２０９を形成し、該膨出部２０９に第１のスナップボタン２１０を設けると共に、前記ケース本体２０３に前記第１のスナップボタン２１０に嵌合する第２のスナップボタン２１１を設け、該第１のスナップボタン２１０と第２のスナップボタン２１１との嵌合により装着具２０２に対するケース本体２０３の回転角度を正規位置に保持するようにしたことを特徴とする拳銃ホルスター。
【請求項２】
前記接続具２０４は、装着具２０２に対するケース本体２０３の回転角度を簡易的に固定するクリックストップ機構により構成され、その簡易固定位置の１つが前記正規位置と合致していることを特徴とする請求項１記載の拳銃ホルスター。
【請求項３】
前記バレル軸線に対応する位置上から僅かにオフセットした位置に舌片部材２１２の基部を固着してその先端に前記第２のスナップボタン２１１を設けることにより、前記ケース本体２０３の撓み状態に関わりなく前記第１のスナップボタン２１０と第２のスナップボタン２１１との嵌合状態を維持できるようにした請求項１または請求項２記載の拳銃ホルスター。
【発明の詳細な説明】
【０００１】
【産業上の利用分野】
本発明は、拳銃ホルスターの改良に関する。
【０００２】
【従来の技術】
拳銃ホルスターは、その装着位置によりウエストホルスター（腰のベルトに懸吊し体側に拳銃を位置させるもの），ショルダーホルスター（肩から懸吊し脇腹に拳銃を位置させるもの）に大別される。
【０００３】
他に、ヒップホルスター（腰のベルトに装着し臀部に拳銃を位置させるもの），インサイドホルスター（ズボン等の一部であるバンドにクリップで止めズボン等の内側に拳銃を位置させるもの）等と呼ばれるものもあるが、これらは専ら拳銃の隠匿を主目的とするものであり、せいぜい小型のバックアップ用拳銃を収納できるに過ぎず、治安の維持に必要とされるストッピングパワーを備えた拳銃を収納するには無理がある。
【０００４】
当然、ウエストホルスター，ショルダーホルスターを採用すれば中型以上の拳銃を所持することができるが、制服警官等の場合においては装備品の装着位置を厳しく規制されているのが普通で、少なくとも、我が国においては、ウエストホルスターにより拳銃を体側に位置させて懸吊しなけければならず、ショルダーホルスター等を利用することはできない。
【０００５】
そして、治安の維持に必要とされるストッピングパワーを備えた口径の拳銃にはそれなりのバレル長が要求され、携帯性を重要視してバレルの短い拳銃を使用すれば集弾特性が悪化し、万一実際に使用した場合には、失中した弾丸による危険が生じる。結果的に、現段階では、バレルの長い拳銃をウエストホルスターにより懸吊して携帯する以外になく、自動車のシート等に座る場合には、拳銃を収納するケース本体の先端部がシート等に干渉して座りにくくなるといった問題がある。
【０００６】
そこで、このような問題を解消するため、ケース本体をイクイプメントベルトに装着するための装着具に対してケース本体を回転可能に取り付け、必要に応じてバレルの向きを変えられるようにした拳銃ホルスターが既に提案されている。
【０００７】
図４が従来の拳銃ホルスター１００の概略を示す背面図（一部は透視図）、即ち、拳銃ホルスター１００を装着具１０１の側から見た図である。図２において符号１０２は拳銃を収納するケース本体であり、型成形等により形状を整えられた皮革、または、裁断縫合されたバリスティッククロス等の新素材により、拳銃を収納し得る形状に形成され、拳銃の脱落防止用のフラップ１０３またはこれに代わるストラップ、もしくは、その両方を兼ね備える。
【０００８】
装着具１０１はケース本体１０２とほぼ同様の素材からなり、全体として矩形状に形成され、必要に応じ、剛性保持のためのシャンク等が縫い込まれている。装着具１０１の上端は手前に向けて折り返されて上部側ループ構成要素１０４となり、メスまたはオスのスナップボタン１０５が取り付けられている。また、装着具１０１の裏面にリベット１０６等により基部を固着された下部側ループ構成要素１０７の先端にはオスまたはメスのスナップボタンが取り付けられ、これを前記スナップボタン１０５と係脱させることにより、上部側ループ構成要素１０４と下部側ループ構成要素１０７により形成されるベルトループを任意に開閉できるようになっている。イクイプメントベルトに対する装着具１０１の脱着作業はこのベルトループの開閉操作により行う。当然、下部側ループ構成要素１０７は装着具１０１およびケース本体１０２とほぼ同様の素材により形成され、一定の可撓性がある。
【０００９】
また、図４に一点鎖線で示すケース本体１０２のバレル軸線上には、接続具１０８が設けられ、該接続具１０８を介して装着具１０１とケース本体１０２とが回転可能に取り付けられている。接続具１０８の構成は、装着具１０１に対するケース本体１０２の回転を許容し、しかも、その回転位置がそれほど容易に変化しないようなものであればどのようなものでもよい。例えば、ケース本体１０２と装着具１０１とを強く圧接固定するリベット等によっても構成することができる。更に、本出願人は、特願平６−１８９０７３号として拳銃ホルスター等に最適のクリック回転装置を提案しており、この装置によれば、６０°の刻み幅で装着具１０１に対するケース本体１０２の回転角度を任意に選択し、その回転位置を簡易的に固定することもできる。
【００１０】
図４に示すのが装着具１０１に対するケース本体１０２の正規位置であり、この状態で装着具１０１のベルトループをイクイプメントベルトに装着すると、拳銃のマズル部分が下方を向くようになっている。マズル部分を人やものに向けないのは当然であるが、更に、万一の暴発に際して跳弾の危険を避ける必要からも、拳銃はマズル部分を下に向けて持ち運ぶ必要がある。
【００１１】
しかし、ケース本体１０２と装着具１０１とをリベット等からなる接続具１０８で強く圧接固定した場合であっても、更には、特願平６−１８９０７３号で提案されたようなクリック回転装置を接続具１０８として適用した場合であっても、接続具１０８の周りに強い回転モーメントが作用した場合、例えば、ケース本体１０２の先端やフラップ１０３の部分をものに引っ掛けたりしたような場合では、ケース本体１０２が装着具１０１に対して勝手に回転してしまい、拳銃のマズル部分が思いもよらぬ方向を向いてしまうといったことが往々にしてある。
【００１２】
そこで、このような問題を解消するため、これまでのところ、図４に示されるようなストッパー機構１０９が採用されてきた。このストッパー機構１０９は、装着具１０１の表側において下部側ループ構成要素１０７の取り付け部よりも僅かに下側に取り付けられたメスまたはオスのスナップボタン１１０と、ケース本体１０２の側で接続具１０８の直近に２本のリベット１１１により基部を回転不能に固着された帯状体１１２、および、該帯状体１１２の先端に取り付けられたオスまたはメスのスナップボタン１１３（図４ではスナップボタン１１０と重複して見える）により構成されている。この帯状体１１２には一定の可撓性があり、その厚み方向には比較的容易に撓みを生じるが、これを幅方向に撓ませること、および、長手方向に伸縮させることは困難であり、従って、スナップボタン１１０と１１３とを嵌合させておけば、装着具１０１に対するケース本体１０２の回転位置を図４に示されるような正規位置に保持することができるのである。
【００１３】
スナップボタン１１３をケース本体１０２に直付けしないのは、我が国の制服警官等の標準的な服飾規定に基いてなされた措置である。つまり、我が国では、コート等の上着を着用する際には、その下にイクイプメントベルトを装備し、上着のポケットの雨蓋の下に水平に設けられたスリットから装着具１０１を内側に差し込み、前記したベルトループの操作により装着具１０１をイクイプメントベルトに取り付けることによってケース本体１０２を上着の外側に懸吊しなければならず、この結果、上着のポケットの雨蓋を装着具１０１とケース本体１０２との間にたくしこむようにして収納しなければならなくなるのである。図４に示すような構成によれば、装着具１０１とケース本体１０２との間、より厳密にいえば、帯状体１１２とケース本体１０２との間に上着のポケットの雨蓋（図４に二点鎖線で示す）をたくしこむことができ、しかも、該帯状体１１２により装着具１０１に対するケース本体１０２の回転位置を図４に示されるような正規位置に保持することができる。
【００１４】
しかし、着用者の姿勢変化等により拳銃ホルスター１００と上着の相対位置関係が様々に変化するため、拳銃ホルスター１００に対する上着のポケットの雨蓋の位置が定まらず、前記従来技術では、雨蓋が装着具１０１とケース本体１０２との間に挟まれたままおかしな位置に落ち着いてしまったり、または、装着具１０１とケース本体１０２との間から雨蓋が上方にずれ上がったりして見苦しい様相を呈するという不満があった。
【００１５】
【発明が解決しようとする課題】
そこで、本発明の目的は、着用者の姿勢変化等により拳銃ホルスターと上着の相対位置関係が様々に変化した場合でも、上着の雨蓋をあるべき位置に落ち着かせることのできる拳銃ホルスターを提供することにある。
【００１６】
【課題を解決するための手段】
本発明の拳銃ホルスターは、前記装着具とケース本体との間に、上着ポケットの雨蓋を挟圧せずにたくしこみ可能な間隙を空け、該装着具の一側における接続具の近傍位置に膨出部を形成し、該膨出部に第１のスナップボタンを設けると共に、前記ケース本体に前記第１のスナップボタンに嵌合する第２のスナップボタンを設け、該第１のスナップボタンと第２のスナップボタンとの嵌合により装着具に対するケース本体の回転角度を正規位置に保持することを特徴とする構成により前記目的を達成した。
【００１７】
更に、一実施態様としての拳銃ホルスターにおいては、装着具に対するケース本体の回転角度を簡易的に固定するクリックストップ機構により前記接続具を構成し、その簡易個定位置の１つを前記正規位置と合致させることにより、ケース本体の正規位置復帰状態におけるスナップボタンの嵌合操作を容易にした。
【００１８】
また、ケース本体に収める拳銃のバレル軸線に対応する位置上から僅かにオフセットした位置に舌片部材の基部を固着してその先端に前記第２のスナップボタンを設けることにより、前記ケース本体の撓み状態に関わりなく前記第１のスナップボタンと第２のスナップボタンとの嵌合状態を維持できるようにした。
【００１９】
【作用】
装着具とケース本体との間に、上着ポケットの雨蓋を挟圧せずにたくしこみ可能な間隙が空くので、上着のポケットの雨蓋をこの間隙に容易にたくしこむことができる。また、装着具とケース本体との間で雨蓋が挾圧されることがないので、着用者の姿勢変化等に応じ、常に最適な位置に上着のポケットの雨蓋が位置することができ、この結果、雨蓋の位置異常や上着の引きつり等といった服装の乱れが生じない。装着具に対するケース本体の正規位置固定は、装着具の一側で接続具の近傍位置に形成された膨出部に取り付けられた第１のスナップボタンと、ケース本体の対応位置に設けられた第２のスナップボタンとの嵌合により行われるので、装着具とケース本体との間の間隙がスナップボタンの配備によって損なわれることがなく、雨蓋の先端を接続具の近傍までたくしこむことが可能となる。
【００２０】
更に、装着具に対するケース本体の回転角度を簡易的に固定するクリックストップ機構の簡易個定位置の１つを前記正規位置と合致させて設けているので、ケース本体を正規位置に復帰させた状態で第１のスナップボタンと第２のスナップボタンとの位置決めが自動的に行われ、目視確認等を行わなくても、これらのスナップボタンを容易に嵌合させてケース本体を確実に正規位置に固定することができる。
【００２１】
また、バレル軸線に対応する位置上から僅かにオフセットした位置、即ち、ケース本体側において接続具の近傍に舌片部材の基部を固着しているので、拳銃の収納によりケース本体が膨らんだ状態であっても拳銃を取り出してケース本体が偏平化した状態であっても、更には、ケース本体をものに引っ掛ける等してケース本体に著しい捩じれが生じたような場合であっても、舌片部材の先端に取り付けられた第２のスナップボタンと装着具側の第１のスナップボタンとの位置関係にずれが生じることがない。つまり、ケース本体の撓み状態に関わりなく前記第１のスナップボタンと第２のスナップボタンとの嵌合状態を維持してケース本体の正規位置を保持することができる。また、舌片部材を摘むことにより前記第２のスナップボタンを第１のスナップボタンに直接押し付けることができるので、スナップボタンの嵌合操作を簡単かつ迅速に行うことができる。
【００２２】
【実施例】
以下、図面を参照して本発明の実施例を説明する。図１は本発明の構成を適用した一実施例の拳銃ホルスター２０１の概略を示す正面図（一部は透視図）、図２は同背面図（一部は透視図）、図３は拳銃ホルスター２０１の一部を構成するケース本体２０３のみを示す背面図であり、図２においては、ケース本体２０３に収められる拳銃のバレル軸線に対応する位置を一点鎖線で示している。
【００２３】
図１および図２に示す通り、本実施例の拳銃ホルスター２０１は、拳銃を収納するケース本体２０３と該ケース本体２０３をイクイプメントベルトに装着するための装着具２０２とからなり、拳銃のバレル軸線に対応する位置上には接続具２０４が設けられ、該接続具２０４を介して装着具２０２とケース本体２０３とが回転可能に取り付けられている。装着具２０２とケース本体２０３の素材は、従来と同様、型成形等により形状を整えられた皮革または裁断縫合されたバリスティッククロス等を任意に選択して使用することができる。
【００２４】
この実施例では、接続具２０４として、特願平６−１８９０７３号で提案したものと同様のクリック回転装置を適用している。ケース本体２０３と装着具２０２との間の間隙の大きさは、装着具２０２の側に設けられたクリック回転装置本体２０４ａとケース本体２０３の側に設けられた接続板２０４ｂとを接続する回転軸２０５の長さによって決めているが（図３参照）、当然、この間隙の大きさは上着のポケットの雨蓋をたくしこむのに必要な程度の大きさとする。なお、図２に示す破線はクリック回転装置本体２０４ａのフレーム（特願平６−１８９０７３号では当板１０と記載）の最大外形を示すもので、このフレームは装着具２０２の表皮２０７と裏皮２０８との間に縫い込まれており、装着具２０２のシャンクとしての機能を兼ね備える。
【００２５】
接続具２０４となるクリック回転装置は、クリック回転装置本体２０４ａに対して、接続具の主要部である回転軸２０５を６０°毎の刻み角度で簡易固定することができる。つまり、回転軸２０５に固着されたケース本体２０３は、装着具２０２に対して６０°毎の刻み角度で簡易固定されることになる。そして、その簡易個定位置の１つは図２に示されるようなケース本体２０３の正規位置に対応する。この位置からケース本体２０３を図２において時計方向に６０°回転させると、ケース本体２０３の外形輪郭上の点ＰとＱとを結ぶ直線がほぼ水平となる状態、要するに、回転軸２０５よりも下に突出するケース本体２０３の長さが最も短くなる状態となる。
【００２６】
なお、図２に示す例においては、ケース本体２０３におけるトリガーガード部分の外径輪郭の丸みの曲率中心が回転軸２０５の位置とほぼ一致しているので、実際にはケース本体２０３を１２０°ほど回転させてしまったとしても回転軸２０５よりも下に突出するケース本体２０３の長さに変化は生じないが、万一の暴発で生じる可能性のある危険を最小限に収めるためにも、必要以上に拳銃を回転させてマズルを水平方向に向けるのは望ましくない。回転軸２０５よりも下に突出するケース本体２０３の長さが最小となる最初の回転角度は、拳銃の種別やバレル長、要するに、ケース本体２０３の形状によっても相違するので、拳銃の種別やバレル長に応じて専用の拳銃ホルスター２０１を製造するような場合では、クリック回転装置におけるクリックストップの回転角度をそれに応じて決めることが望ましい。また、この拳銃ホルスター２０１を用いて拳銃を持ち運ぶ場合には、少なくとも、薬室、もしくは、撃針が位置するシリンダー部分からは実包を取り除いておくべきであろう。
【００２７】
装着具２０２の一側には図２に示されるように膨出部２０９が形成され、その表側にメスまたはオスの第１のスナップボタン２１０が設けられている。第１のスナップボタン２１０は接続具２０４（より厳密にいえば回転軸２０５）の近傍位置に設ける必要があり、たとえ装着具２０２の一側ではあっても、装着具２０２の上方側の位置に設けたのでは意味がない。最も望ましい態様は図２において第１のスナップボタン２１０が回転軸２０５と同じ高さ、もしくは、それよりも低くなるような位置に第１のスナップボタン２１０を取り付けられるように膨出部２０９を形成させることだが、後述する第２のスナップボタンの取り付け可能位置との兼ね合いもあるので、図２に示す例では、第１のスナップボタン２１０の取り付け位置が回転軸２０５の取り付け位置よりも僅かに高くなっている。なお、膨出部２０９の位置にはシャンクとなる部材は埋設されておらず、その厚み方向にある程度の可撓性を備える。
【００２８】
一方、図３に示すように、ケース本体２０３の側には、舌片部材２１２が２本のリベット２１３により前記バレル軸線上から僅かにオフセットした位置に固着され、その先端に、前記第１のスナップボタン２１０に嵌合するオスまたはメスの第２のスナップボタン２１１が取り付けられている。舌片部材２１２の固着位置（より厳密にいえばスナップボタン２１１の取り付け位置）は前記した膨出部２０９と同様、回転軸２０５と同じ高さ、もしくは、それよりも低くできればそれに越したことはないが、拳銃を収納した時にケース本体２０３に生じる撓み等を舌片部材２１２で無闇に拘束してもいけないので、前記した要件を可能な限り満たすべく、比較的撓みの生じにくい位置に適宜固着し、この位置に応じて装着具２０２の側に膨出部２０９および第１のスナップボタン２１０を設けるようにする。舌片部材２１２は、その先端部、つまり第２のスナップボタン２１１を取り付けた部位をケース本体２０３の裏面から接離自在とする必要があり、その厚み方向に一定の可撓性を備えている。無論、リベット２１３によりケース本体２０３に固着されているのはその基部のみである。２１４は舌片部材２１２の伸びや型崩れを防止するための縫い取りである。
【００２９】
ケース本体２０３には、収納した拳銃のハンマーもしくはグリップ基部に巻回して拳銃の位置ずれや脱落を防止するためのストラップ２１５、および、フラップ２１６が従来と同様にして設けられている。その他、従来と同様の機能を有する付属物に関しては、図４の説明で使用したものと同じ符号を付し、詳細な説明は省略する。
【００３０】
以下、本実施例の拳銃ホルスター２０１の使用方法について説明する。まず、拳銃ホルスター２０１を装着する際には、装着具２０２の上端を外側から上着のスリットに差し込み、上部側ループ構成要素１０４と下部側ループ構成要素１０７とを接続するスナップボタン１０５を外して、装着具２０２と下部側ループ構成要素１０７との間にイクイプメントベルトを挟みこむようにして再びスナップボタン１０５を止め、装着具２０２をイクイプメントベルトに取り付ける。
【００３１】
取り付け完了後、適宜、服装の乱れ等を整えるわけだが、ここで問題となるのは、前記したスリットの上部に位置する上着の雨蓋２１７の処理である。図４に示されるような従来の拳銃ホルスター１００では、ケース本体１０２に密着して取り付けられた帯状体１１２とケース本体１０２との間に雨蓋２１７を無理やりたくしこむ必要があるので、その作業は非常に煩わしいが、本実施例の拳銃ホルスター２０１においては、ケース本体２０３と装着具２０２との間に適度の間隙が形成されているので、雨蓋２１７のたくしこみ作業は極めて容易である。しかも、接続具の一部を構成する回転軸２０５よりも上の部分の間隙においては、図４に示す帯状体１１２に対応するような突出物は一切配備されていないので、ケース本体２０３と装着具２０２とを接続するのに不可欠な要素である回転軸２０５の位置まで雨蓋２１７の先端をたくしこむことが可能となる（但し、スナップボタン２１０，２１１の取り付け位置が回転軸２０５よりも上である場合にはその位置までとなる）。
【００３２】
また、本実施例の拳銃ホルスター２０１においては、ケース本体２０３と装着具２０２との間で雨蓋２１７が挾圧されることがないので、雨蓋２１７の位置が拳銃ホルスター２０１によって拘束されることはない。従って、雨蓋２１７は上着の着用者の姿勢変化等に応じて適宜自然な位置に移動することができ、服装の乱れが防止される。
【００３３】
更に、拳銃ホルスター２０１を体に装備したままケース本体２０３の先端やフラップ２１６等をものにぶつけるなり引っ掛けるなりしたような場合であっても、ケース本体２０３側の第２のスナップボタン２１１と装着具２０２側の第１のスナップボタン２１０との嵌合によりケース本体２０３の向きが図２に示されるような正規位置に保持されるため、拳銃のマズルが意思と無関係に不用意な方向を向いてしまうといったことは未然に防止される。
【００３４】
また、ケース本体２０３の先端やフラップ２１６等に極端な力が作用したような場合では、ケース本体２０３に撓みや捩じれが生じ、該ケース本体２０３の外周部が装着具２０２から浮き上がるようにして離間するといった可能性もある。しかし、このような場合においても、回転軸２０５の近傍ではケース本体２０３と装着具２０２との相対位置が大きく変化することはない。第２のスナップボタン２１１を取り付けた舌片部材２１２は回転軸２０５の近傍でケース本体２０３に固着され、しかも、舌片部材２１２自体にある程度の可撓性があるので、このような激しい動きが生じた場合であっても、第１のスナップボタン２１０と第２のスナップボタン２１１との嵌合は保持され、ケース本体２０３の正規位置が保証される。
【００３５】
舌片部材２１２を仲立ちとした正規位置保持方法は、拳銃の収納および取り出しによって生じるケース本体２０３の膨らみの変化、更には、経年変化等によるケース本体２０３自体の形状変化に対しても前記と同様の順応性があり、ケース本体２０３の正規位置が常に保持され得る。
【００３６】
また、拳銃ホルスター２０１を装備したまま自動車のシート等に座るような場合は、舌片部材２１２の先端を摘んで装着具２０２側の第１のスナップボタン２１０からケース本体２０３側の第２のスナップボタン２１１を引き剥がす。そして、ケース本体２０３を把持して強く捻るようにして回転させることにより、該ケース本体２０３を図２の基準で時計方向に６０°回転させ、回転軸２０５から下のケース本体２０３の突出量を最小にしてシートに腰掛ける。ケース本体２０３の回転によりその実質的な全長が短縮されるので、ケース本体２０３の先端がシート等に当たることはなく、イクイプメントベルトが押し上げられることによって生じる肉体的な不快感、および、シート等の傷みが防止される。また、本実施例では接続具２０４としてクリック回転装置を採用しているので、ケース本体２０３の回転位置は、このクリック回転装置によりそのまま６０°の位置に簡易的に保持される。クリック回転装置による簡易固定位置を０°（図２の状態）および６０°の２位置のみとし、同時に、回転限度を６０°に規制してもよい。これにより、スナップボタン２１０および２１１の嵌合解除によって正規位置の固定を外した場合でも、拳銃のマズルが危険な角度にまで持ち上がるのを未然に防止することができる。
【００３７】
そして、再び自動車から降りて立ち上がるような場合には、ケース本体２０３の位置を図２に示すような正規位置に戻す必要がある。この場合は、前記とは逆に、ケース本体２０３を把持して図２の基準で反時計方向に６０°回転させ、ケース本体２０３を正規位置に戻す。更に、舌片部材２１２の先端と装着具２０２の膨出部２０９とを指先で挟んで強く押し付け、再び第１のスナップボタン２１０と第２のスナップボタン２１１とを嵌合させる。クリック回転装置による簡易固定位置の１つがケース本体２０３の正規位置に一致しているので、ケース本体２０３の先端を下に向けてクリックストップを作動させれば、自動的にスナップボタン２１０に対するスナップボタン２１１の位置決めが行われることになる。従って、利用者は手探りで舌片部材２１２もしくは膨出部２０９を探り当て、これらを適当に挾圧するだけでスナップボタン２１０とスナップボタン２１１とを嵌合させることができ、便利である。
【００３８】
また、第２のスナップボタン２１１をケース本体２０３に直付けしたような場合では、ケース本体２０３を外側から押圧して装着具２０２に押し付けるか、もしくは、装着具２０２の膨出部２０９をその裏面側からケース本体２０３に押し付けることにより第１のスナップボタン２１０と第２のスナップボタン２１１とを嵌合させなければならなくなるが、いずれの場合も、その押圧力に応動してケース本体２０３の裏面が拳銃のトリガーガード部分に突入する形で変形して第２のスナップボタン２１１が沈みこむようになり、ボタンの嵌合がうまく行かない。これに対し、本実施例では、舌片部材２１２と膨出部２０９の構成により第２のスナップボタン２１１を直に第１のスナップボタン２１０に押し付けられるようになっているので、その嵌合操作をより円滑に行うことができる。
【００３９】
【発明の効果】
本発明の拳銃ホルスターは、装着具とケース本体との間に、上着ポケットの雨蓋を挟圧せずにたくしこみ可能な間隙を空けてあるため、上着のポケットの雨蓋をケース本体と装着具との間に容易にたくしこむことができ、しかも、ケース本体の回転位置を正規位置に固定するための第１，第２のスナップボタンは、接続具の位置からオフセットして装着具の一側に設けるようにしているので、ケース本体と装着具との間の間隙に突出物が介在せず、雨蓋の先端を接続具の近傍までたくしこむことが可能となる。
【００４０】
また、装着具とケース本体との間で雨蓋が挾圧されることがないので、着用者の姿勢変化等に応じ、常に最適な位置に上着のポケットの雨蓋が位置することができ、雨蓋の位置の異常や上着の引きつり等といった服装の乱れが防止される。
【００４１】
更に、装着具に対するケース本体の回転角度を簡易的に固定するクリックストップ機構の簡易個定位置の１つをケース本体の正規位置と合致させて設けているので、ケース本体を正規位置に復帰させてクリックストップが作動した状態で第１，第２のスナップボタンの位置決めが自動的に完了する。従って、使用者はスナップボタンの位置の目視確認等を行わなくても、これらのスナップボタンを容易に嵌合させてケース本体を確実に正規位置に固定することができる。
【００４２】
また、ケース本体側において接続具の近傍に舌片部材の基部を固着し、その先端に第２のスナップボタンを配備して装着具側の第１のスナップボタンと嵌合させるようにしているので、拳銃の収納によりケース本体が膨らんだ状態であっても拳銃を取り出してケース本体が偏平化した状態であっても、更には、ケース本体をものに引っ掛ける等してケース本体に著しい捩じれが生じたような場合であっても、舌片部材の先端に取り付けられた第２のスナップボタンと装着具側の第１のスナップボタンとの位置関係にずれが生じることはない。この結果、第１，第２のスナップボタンの嵌合状態が意に反して容易に解除されることはなく、ケース本体の正規位置を確実に保持することができる。また、舌片部材を摘んで第２のスナップボタンを第１のスナップボタンに直接押し付けることができるので、ケース本体にスナップボタンを取り付けた場合のようにケース本体の撓みによってスナップボタンの押圧嵌合が疎外されることはなく、スナップボタンの勘合操作を簡単かつ迅速に行うことができる。
【図面の簡単な説明】
【図１】本発明の一実施例の拳銃ホルスターの概略を示す正面図である。
【図２】同実施例の拳銃ホルスターの概略を示す背面図である。
【図３】同実施例の拳銃ホルスターのケース本体を示す背面図である。
【図４】従来の拳銃ホルスターの概略を示す背面図である。
【符号の説明】
１００  拳銃ホルスター
１０１  装着具
１０２  ケース本体
１０３  フラップ
１０４  上部側ループ構成要素
１０５  スナップボタン
１０６  リベット
１０７  下部側ループ構成要素
１０８  接続具
１０９  ストッパー機構
１１０  スナップボタン
１１１  リベット
１１２  帯状体
１１３  スナップボタン
２０１  拳銃ホルスター
２０２  装着具
２０３  ケース本体
２０４  接続具（クリック回転装置）
２０４ａ  クリック回転装置本体
２０４ｂ  接続板
２０５  回転軸
２０７  表皮
２０８  裏皮
２０９  膨出部
２１０  第１のスナップボタン
２１１  第２のスナップボタン
２１２  舌片部材
２１３  リベット
２１４  縫い取り
２１５  ストラップ
２１６  フラップ
２１７  上着のポケットの雨蓋
【図１】
0003618128.tif 000002
【図２】
0003618128.tif 000003
【図３】
0003618128.tif 000004
【図４】
0003618128.tif 000005